(57)【要約】  【課題】  ２種のレンズを外見上不都合なく用いることのできる、使用勝手の良好な眼鏡を提供する。  【解決手段】  ブリッジ部４を介して連結した一対のリング状枠５，５の外縁部に、つる７および前記リング状枠を介する内外一対の支持枠２，３をそれぞれ基部において蝶着する。内外の支持枠には互いに性質の異なるレンズ１１，１２を保持させると共に、前記リング状枠５の前記外縁部に相対する内縁部と、前記つる７の中間部の、各内外側部には、前記内外の支持枠２，３の自由端部に設けた係止材１３，１３´が着脱自在に係止する受止材１４，１４´、１５，１５´を設ける。【選択図】    図２
2009169338.tif 000002
【特許請求の範囲】
【請求項１】
ブリッジ部を介して連結した一対のリング状枠の外縁部に、つるおよび前記リング状枠を介する内外一対の支持枠をそれぞれ基部において枢着し、内外の支持枠には互いに性質の異なるレンズを保持させると共に、前記リング状枠の前記外縁部に相対する内縁部と前記つるの中間部の、各内外側部には、前記内外の支持枠の自由端部に設けた係止材が着脱自在に係止する受止材を設けた、眼鏡。
【発明の詳細な説明】
【技術分野】
【０００１】
本発明は、遠視レンズと色付きガラスのように性質の異なる２種のレンズを備えた眼鏡に関するものである。
【背景技術】
【０００２】
ブリッジ部を介して連結して矯正（例えば、遠視）レンズを保持した一対の保持枠の外縁部につるを蝶着して眼鏡本体を構成し、該眼鏡本体の前記保持枠の前面側に跳ね上げ装置を介してサングラスを取り付けて構成したものがある（例えば、特許文献）。
【０００３】
【特許文献１】特開２００５−３４５８８０号公報
【発明の開示】
【発明が解決しようとする課題】
【０００４】
前記従来例は、常態時には跳ね上げ装置を利用してサングラスを跳ね上げて水平状態を保つようにして矯正レンズのみを用いて事物を視覚するようにし、陽光下において前記跳ね上げ装置の跳ね上げ機能を規制してサングラス（色付きレンズ）を矯正レンズに重ね合わせるようにして用いるのであるが、常態時において不要なサングラスを水平に保持していなければならないため、外見上、必ずしも歓迎されるものでないし、また、サングラスは片持ち状で支持されるため眼鏡を正位置状態に確保することがむずかしい。
【０００５】
本発明は、例えば、従来例の斯様な欠点に着目し、外見上も良好で、使用勝手にも不都合のない２種のレンズを用いた眼鏡を提供することを目的として創案したものである。
【課題を解決するための手段】
【０００６】
ブリッジ部を介して連結した一対のリング状枠の外縁部に、つるおよび前記リング状枠を介する内外一対の支持枠をそれぞれ基部において枢着し、内外の支持枠には互いに性質の異なるレンズを保持させると共に、前記リング状枠の前記外縁部に相対する内縁部と前記つるの中間部の、各内外部には、前記内外の支持枠の自由端部に設けた係止材が着脱自在に係止する受止材を設けた構成としたものである。
【発明の効果】
【０００７】
本発明によれば、内外の支持枠の係止材をリング状枠側の受支材に係止させれば、該支持枠に支持させた２種のレンズを同時に用いて事物を視認することができ、また、一方のレンズのみを用いる場合は、該一方側の支持枠をつるに重ね合わせた状態で保持させることができるから、外見上も不都合のない、使用勝手の良好な眼鏡を提供できる。
【実施例】
【０００８】
図面は本発明に係る眼鏡の一実施例を示し、図１は外側レンズを用いた状態の正面図、図２は図１の平面図、図３は内側レンズを用いた状態の平面図、図４は折り畳んだ状態の平面図、図５は外側支持枠を開いた状態の正面図、図６は外側支持枠を開いた状態の側面図である。
【０００９】
本発明に係る眼鏡Ａは、フレーム本体１に、レンズ（矯正レンズの外、所謂色付きガラスなどサングラス用のものも含む）を内嵌した内外それぞれ一対の支持枠２，３を回動自在に枢着して構成したもので、フレーム本体１は、左右一対のリング状枠５，５をブリッジ部４を介して連結して構成した主体１Ａの前記リング状枠１Ａの外縁部によろい６を設け、該よろい６の自由端部につる７を基部において回動自在に蝶着して構成したものである。このフレーム本体１の前記よろい６の基部すなわちリング状枠５の外縁部によろい６を介して配した内外の支持部８，８´を設け、内側支持部８には前記内側支持枠２を、外側支持部８´には前記外側支持枠３をそれぞれ基部において回動自在に枢着して、前記の通り、実施例の眼鏡Ａを構成する。
【００１０】
内外の支持枠２，３は、基部にフレーム本体１側の前記支持部８又は８´と重ね合わせてピン１０，１０´で枢着した接続部９，９´を備え、フレーム本体１側のリング状枠５と内周縁がほぼ一致して重なり合うリング体で成り、内外の支持枠２，３間において互いに性質の異なる（例えば、矯正レンズと色付きガラス）レンズ１１，１２を嵌合支持させたものである。
【００１１】
そして、内外の支持枠２，３の自由端には係止材１３，１３´を設け、該係止材１３又は１３´が着脱自在に係止する受止材１４，１４´、１５，１５´をフレーム本体１の、リング状枠５の前記外縁に相対する内縁（ブリッジ部４側の縁部）と、前記つる７の中間部の各内、外側部にそれぞれ設けてある。
【００１２】
また、外側の支持枠３に嵌着したレンズすなわち外側レンズ１２を用いるときは、外側支持枠３の係止材１３´をリング状枠５の外側に設けた受止材１４´に係止させ、内側支持枠２の係止材１３をつる７の内側に設けた受止材１５に係止させて用い（図１、図２）、内側レンズ１１を用いるときは図３に示すように前記とは逆に、内側支持枠２側の係止材１３をリング状枠５（主体１Ａ）の内側に設けた受止材１４に、外側支持枠３側の係止材１３´をつる７の外側の受止材１５´にそれぞれ係止させて用い、更に、各係止材１３，１３´をリング状枠５側の受止材１４，１４´にそれぞれ係止させて用いるのである。
【００１３】
なお、実施例のつる７は、前記主体１Ａ（リング状枠５側）と回動自在に枢着した（他の枢着部とほぼ同様にそれぞれに設けた接続部を重ね合わせてピンを通して組付けてある）基部側を、前記内外の支持枠２，３の輪郭形とほぼ一致する形状の板状体で構成し、該板状体部７ａは、内外のレンズ１１，１２の使用しないものとしてこれに重ね合わせた一方又は双方の保護材として機能すると共に、前記受止材１５，１５´を設けることによりレンズ１１，１２を装置した内外の支持枠２，３の安定した支持材としても機能する。
【図面の簡単な説明】
【００１４】
【図１】外側レンズを用いた状態の正面図。
【図２】図１の平面図。
【図３】内側レンズを用いた状態の平面図。
【図４】折り畳んだ状態の平面図。
【図５】外側支持枠を開いた状態の正面図。
【図６】外側支持枠を開いた状態の側面図。
【符号の説明】
【００１５】
２                内側支持枠
３                外側支持枠
４                ブリッジ部
５                リング状枠
７                つる
１１，１２        レンズ
１３，１３´      係止材
１４，１４´、１５，１５´      受止材
【図１】
2009169338.tif 000003
【図２】
2009169338.tif 000004
【図３】
2009169338.tif 000005
【図４】
2009169338.tif 000006
【図５】
2009169338.tif 000007
【図６】
2009169338.tif 000008